(57)【要約】【課題】温度上昇を考慮した制御チャネルの切り替えを実施し、異常な温度上昇による基地局機能のダウンを防止する。【解決手段】基地局において、サイトコントローラは、通信端末との間で無線通信可能なレピータ装置の状態が通信全体を制御する制御チャネル状態である場合、レピータ装置の内部温度が予め設定された第１温度閾値以上か判定し、レピータ装置の内部温度が第１温度閾値以上である場合、何も処理を行っていないアイドル状態である他のレピータ装置の状態を制御チャネル状態に移行した上で、レピータ装置の状態を制御チャネル状態から使用禁止状態に移行させる。その後、内部温度が予め設定された第２温度閾値以下となり、且つ、所定時間経過している場合、レピータ装置の状態を使用禁止状態からアイドル状態に移行させる。【選択図】図２
2020155987.tif 000002
【特許請求の範囲】
【請求項１】
通信端末との間で無線通信可能であり、チャネル状態を切り換え可能な処理部と、温度を測定する温度測定部とを含む、レピータ装置と、
前記レピータ装置の状態を管理するサイトコントローラと、を備え、
前記サイトコントローラは、前記レピータ装置の状態が通信全体を制御する制御チャネル状態であり、且つ、前記レピータ装置の内部温度が予め設定された第１温度閾値以上である場合、前記レピータ装置の状態を制御チャネル状態から使用禁止状態に移行させることを特徴とする無線中継装置。
【請求項２】
前記サイトコントローラは、前記レピータ装置の状態を制御チャネル状態から使用禁止状態に移行する前に、制御チャネル状態及び通信チャネル状態に設定されておらず、且つ、使用禁止状態ではない状態であるアイドル状態の他のレピータ装置の状態を制御チャネル状態に移行させる、請求項１に記載の無線中継装置。
【請求項３】
前記サイトコントローラは、前記他のレピータ装置の状態が制御チャネル状態に移行したことを前記レピータ装置から前記通信端末に報知させた後に、前記レピータ装置の状態を制御チャネル状態から使用禁止状態に移行させる、請求項２に記載の無線中継装置。
【請求項４】
前記サイトコントローラは、使用禁止状態の前記レピータ装置の内部温度が予め設定された第２温度閾値以下であり、且つ、前記レピータ装置の状態が使用禁止状態に移行してから所定時間経過している場合、前記レピータ装置の状態を使用禁止状態からアイドル状態に移行させる、請求項１から３のいずれか一項に記載の無線中継装置。
【請求項５】
前記サイトコントローラは、予め設定したタイマ時間に基づくタイマ割込みが発生したとき、前記レピータ装置を含む複数のレピータ装置の中にアイドル状態のレピータ装置が存在する場合、最も内部温度が低いアイドル状態のレピータ装置の状態を制御チャネル状態に移行させる、請求項１から４のいずれか一項に記載の無線中継装置。
【請求項６】
前記サイトコントローラは、前記レピータ装置の状態を移行させた際、状態変化後の経過時間の値を初期化し、新たにカウントを開始する、請求項１から５のいずれか一項に記載の無線中継装置。
【請求項７】
前記サイトコントローラは、前記レピータ装置が過去に制御チャネル状態となった回数と、そのときの最高温度とを記憶する、請求項１から６のいずれか一項に記載の無線中継装置。
【請求項８】
通信端末との間で無線通信可能であり、チャネル状態を切り換え可能なレピータ装置の状態が全体を制御する制御チャネル状態であるか判定することと、
前記レピータ装置の状態が制御チャネル状態である場合、前記レピータ装置の内部温度を監視することと、
前記レピータ装置の内部温度が予め設定された第１温度閾値以上か判定することと、
前記レピータ装置の内部温度が前記第１温度閾値以上である場合、前記レピータ装置の状態を制御チャネル状態から使用禁止状態に移行することと
を含むことを特徴とする無線中継装置の温度管理方法。
【発明の詳細な説明】
【技術分野】
【０００１】
本発明は、無線中継装置の温度管理方法に関する。
【背景技術】
【０００２】
携帯通信端末等の電気通信サービスを提供するための無線通信システムは、基地局に複数台のレピータ装置が設置され稼働している。そして、複数台のレピータ装置の内の１台が通信端末（移動局）に基地局情報を知らせるための制御チャネルの役割を担うレピータ装置（ＣＣＨ）となり、その他が通話の中継のための通信チャネルの役割を担うレピータ装置（ＴＣＨ）となる。この方式では、サイトコントローラが通信端末間で通信に使用するチャネルを決定し、ＣＣＨが通信端末に通知して、その決定したチャネルを通信端末に使用させることで、ＴＣＨを統制する。ＣＣＨは、前述のように制御信号を連続的に送信することから、一定時間間隔で、その時点でアイドル状態のＴＣＨの１台と役割を交替することで装置の劣化を防止していた。
【０００３】
しかし、時間間隔による役割の交替では、急激な装置内の温度上昇が起きた場合に対処できず、レピータ装置がハングアップする問題があった。例えば、制御チャネルのレピータ装置で異常温度（約８５℃）になった場合、システム下の通信端末に報知することなく、エラー表示して送信停止し、その後、別のチャネルのレピータ装置が制御チャネルのレピータ装置として起動していた。
【０００４】
この温度上昇は、レピータ装置の周囲温度の変化や送信出力の変化、制御する通信端末数等様々な要因により誘発されるのに対して、制御チャネルの切り替えタイミングは指定時刻、又は指定時刻及び一定周期（最短１時間）のみだった。このため、温度監視によりレピータ装置のハングアップを未然に防止し、通話機能を維持する技術が求められていた。
【０００５】
例えば、特許文献１には、複数存在するレピータ装置の内部温度を監視し、通話やデータ通信の中継のための通信チャネル（中継チャネル）の役割を担うレピータ装置の選択において、中継チャネルがアイドル状態で、且つ内部温度の低いレピータ装置を選択することで、温度上昇によるレピータ装置の故障を未然に防止する技術が開示されている。
【先行技術文献】
【特許文献】
【０００６】
【特許文献１】特開２０１０−２０６２５９号公報
【発明の概要】
【発明が解決しようとする課題】
【０００７】
特許文献１では、制御チャネルの動作を特定のレピータ装置に集中させない方式の例を示しているが、一方で、制御チャネルの動作を特定のレピータ装置に集中させる方式も存在する。この場合、制御チャネルの役割を担うレピータ装置は連続的に制御信号を送信し続けることから、レピータ装置の内部温度が上昇し易い。
【０００８】
また、特許文献１の方法は、次に送受信を担う「中継チャネル」のレピータ装置を選択するための技術であり、選択基準として他のレピータ装置の内部温度を参照するものである。したがって、連続的に送信を行う制御チャネルの役割を担っているレピータ装置が、自身の役割を移管させるタイミングを計るものではない。更に、急激に内部温度が上昇したレピータ装置は、内部温度が正常範囲に戻るまでは使用しないことが好ましく、基地局の機能を維持しながら内部温度が上昇したレピータ装置の停止と復帰を行う必要がある。
【０００９】
本発明は、上記に鑑みてなされたものであって、異常な温度上昇による基地局機能のダウンを防止することを目的とする。
【課題を解決するための手段】
【００１０】
上述した課題を解決し、目的を達成するために、本発明に係る無線中継装置は、通信端末との間で無線通信可能であり、チャネル状態を切り換え可能な処理部と、温度を測定する温度測定部とを含む、レピータ装置と、基地局のチャネル（レピータ装置）の状態や通信を管理するサイトコントローラと、を備え、サイトコントローラは、レピータ装置が通信全体を制御する制御チャネル状態であり、且つ、レピータ装置の内部温度が第１温度閾値以上である場合、レピータ装置の状態を制御チャネル状態から使用禁止状態に移行させることを特徴とする。
【００１１】
また、サイトコントローラは、レピータ装置の状態を制御チャネル状態から使用禁止状態に移行する前に、制御チャネル状態及び通信チャネル状態（通話中）に設定されておらず、且つ、使用禁止状態ではない状態であるアイドル状態の他のレピータ装置の状態を制御チャネル状態に移行させる。
【００１２】
また、サイトコントローラは、他のレピータ装置の状態が制御チャネル状態に移行して次の制御チャネル状態のレピータ装置となったことをレピータ装置から移動局に報知させた後に、レピータ装置の状態を制御チャネル状態から使用禁止状態に移行させる。
【００１３】
また、サイトコントローラは、使用禁止状態のレピータ装置の内部温度が第２温度閾値以下であり、且つ、レピータ装置の状態が使用禁止状態に移行してから所定時間経過している場合、レピータ装置の状態を使用禁止状態からアイドル状態に移行させる。
【００１４】
また、サイトコントローラは、予め設定したタイマ時間に基づくタイマ割込みが発生したとき、複数のレピータ装置の中にアイドル状態のレピータ装置が存在する場合、最も内部温度が低いアイドル状態のレピータ装置の状態を制御チャネル状態に移行させるようにしても良い。
【００１５】
また、サイトコントローラは、レピータ装置の状態が変化した際、状態変化後の経過時間の値を初期化し、新たにカウントを開始するようにしても良い。
【００１６】
更に、サイトコントローラは、レピータ装置が過去に制御チャネル状態となった回数と、そのときの最高温度とを記憶するようにしても良い。
【００１７】
これにより、制御チャネルを担うレピータ装置の切り替えタイミングを決定する際に、内部温度を継続的に監視し、内部温度が異常値に達する前に切り替えを実施すると共に、内部温度が安全値以下になるまで当該レピータ装置を使用禁止にすることができる。
【発明の効果】
【００１８】
本発明によれば、異常な温度上昇による基地局機能のダウンを防止することができる。
【図面の簡単な説明】
【００１９】
【図１】図１は、本発明の実施形態に係る無線通信システムの構成の一例を示す模式図である。
【図２】図２は、本発明の実施形態に係る基地局の構成の一例を示すブロック図である。
【図３】図３は、本発明の実施形態に係るレピータ装置の構成の一例を示すブロック図である。
【図４】図４は、本発明の実施形態に係るサイトコントローラの構成の一例を示すブロック図である。
【図５】図５は、各レピータ装置が通常状態であるパターンの一例を示す表である。
【図６】図６は、制御チャネルのレピータ装置の内部温度が高温となり、異常温度に近づいたことを検出したパターンの一例を示す表である。
【図７】図７は、制御チャネルを他のレピータ装置に切り替えたパターンの一例を示す表である。
【図８】図８は、高温であったレピータ装置を温度低下に伴い復帰させるパターンの一例を示す表である。
【図９】図９は、サイトコントローラによるレピータ装置の温度管理プロセスにおける処理の流れの一例を示すフローチャートである。
【図１０】図１０は、サイトコントローラによるレピータ装置の時間管理プロセスにおける処理の流れの一例を示すフローチャートである。
【発明を実施するための形態】
【００２０】
以下、添付図面を参照して、本発明に係る実施形態を詳細に説明する。なお、この実施形態により本発明が限定されるものではない。また、実施形態が複数ある場合には、各実施形態を組み合わせて構成するものも含む。
【００２１】
［実施形態］
図１を用いて、本発明の実施形態に係る無線通信システムの構成について説明する。図１は、本発明の実施形態に係る無線通信システムの構成の一例を示す模式図である。
【００２２】
図１に示すように、本実施形態に係る無線通信システム１は、システムコントローラ１１０と、ルータ１２０と、第１基地局１３０Ａと、第２基地局１３０Ｂと、第３基地局１３０Ｃと、第１移動局１５０Ａ−１と、第２移動局１５０Ａ−２と、第３移動局１５０Ｂ−１と、第４移動局１５０Ｂ−２と、第５移動局１５０Ｃ−１と、第６移動局１５０Ｃ−２とを含む。
【００２３】
図１において、第１サービスエリア１４０Ａは、第１基地局１３０Ａと無線で通信可能な通信エリア（通信圏）である。第２サービスエリア１４０Ｂは、第２基地局１３０Ｂと無線で通信可能な通信エリアである。第３サービスエリア１４０Ｃは、第３基地局１３０Ｃと無線で通信可能な通信エリアである。図１に示す例では、第１サービスエリア１４０Ａにおいて、第１移動局１５０Ａ−１と第２移動局１５０Ａ−２とが、第１基地局１３０Ａと無線で通信可能である。第２サービスエリア１４０Ｂにおいて、第３移動局１５０Ｂ−１と第４移動局１５０Ｂ−２とが、第２基地局１３０Ｂと無線で通信可能である。第３サービスエリア１４０Ｃにおいて、第５移動局１５０Ｃ−１と第６移動局１５０Ｃ−２とが、第３基地局１３０Ｃと無線で通信可能である。なお、図１では、３台の基地局（無線中継装置）と、６台の移動局（無線通信端末）とが示されているが、これは例示であり、本発明を限定するものではない。基地局及び移動局はいずれも少なくとも１台存在していれば良い。また、以下において、第１基地局１３０Ａから第３基地局１３０Ｃを総称して、基地局１３０と呼ぶこともある。同様に、第１サービスエリア１４０Ａから第３サービスエリア１４０Ｃを総称して、サービスエリア１４０と呼ぶこともある。更に、第１移動局１５０Ａ−１から第６移動局１５０Ｃ−２を総称して、移動局１５０と呼ぶこともある。
【００２４】
システムコントローラ１１０と、ルータ１２０と、第１基地局１３０Ａから第３基地局１３０Ｃとは、ＩＰ（Internet  Protocol）ネットワーク等のネットワークにより接続されている。図１に示す例では、単一のシステムコントローラ１１０が、ルータ１２０を介して、第１基地局１３０Ａから第３基地局１３０Ｃの複数の基地局を管理している。しかしながら、これは例示であり、本発明では、システムコントローラ１１０は複数存在していても良い。また、第１基地局１３０Ａから第３基地局１３０Ｃの少なくとも１つの基地局がシステムコントローラ１１０の機能を備えていても良い。すなわち、システムコントローラ１１０と基地局１３０とは一体の装置であっても良い。ルータ１２０については、ネットワークを構成する一般的な中継機器であるため、ここでは詳細な説明を省略する。
【００２５】
［基地局］
図２を用いて、基地局の構成について説明する。図２は、基地局の構成の一例を示すブロック図である。
【００２６】
図２に示すように、基地局１３０は、第１レピータ装置１６０−１と、第２レピータ装置１６０−２と、第３レピータ装置１６０−３と、サイトコントローラ１７０と、アンテナ１８０とを含む。図２に示す基地局１３０の構成は、第１基地局１３０Ａから第３基地局１３０Ｃの全てにおいて共通であるものとする。なお、図２では、３台のレピータ装置が示されているが、これは例示であり、本発明を限定するものではない。実際には、４台以上でも良い。また、以下において、第１レピータ装置１６０−１から第３レピータ装置１６０−３を総称して、レピータ装置１６０と呼ぶこともある。また、サイトコントローラの機能をレピータ装置が兼ねていても良い。すなわち、サイトコントローラはレピータ装置と一体化していても良い。実際には、複数のレピータ装置のうち少なくとも１台がサイトコントローラの機能を兼ねている状態であれば良い。その場合は、独立したサイトコントローラは必要としない。
【００２７】
第１レピータ装置１６０−１と、第２レピータ装置１６０−２と、第３レピータ装置１６０−３とはそれぞれアンテナ１８０を介して、サービスエリア１４０内の移動局１５０と無線で通信可能である。また、第１レピータ装置１６０−１と、第２レピータ装置１６０−２と、第３レピータ装置１６０−３とはそれぞれＩＰネットワーク等のネットワークによりルータ１２０に接続されている。サイトコントローラ１７０は、第１レピータ装置１６０−１と、第２レピータ装置１６０−２と、第３レピータ装置１６０−３のそれぞれと接続されている。なお、サイトコントローラ１７０は、システムコントローラ１１０の機能を備えていても良い。例えば、サイトコントローラ１７０は、ルータ１２０を介して、他の基地局１３０の各レピータ装置１６０と通信し、これらについても管理するようにしても良い。あるいは、サイトコントローラ１７０は、システムコントローラ１１０側に搭載されていても良い。すなわち、システムコントローラ１１０がサイトコントローラ１７０として機能しても良い。
【００２８】
第１レピータ装置１６０−１と、第２レピータ装置１６０−２と、第３レピータ装置１６０−３とはそれぞれ異なる状態（モード）にあり、異なる役割を担っている。サイトコントローラ１７０は、第１レピータ装置１６０−１と、第２レピータ装置１６０−２と、第３レピータ装置１６０−３のそれぞれの状態を監視しており、状況に応じて、各レピータ装置１６０の状態、すなわち役割を切り替える。レピータ装置１６０の状態の例としては、「制御チャネル」、「通信チャネル」、「アイドル」、「使用禁止」等がある。「制御チャネル」は、全体を制御し、レピータ装置１６０が移動局１５０に対して、定期的に電波を送信して基地局１３０の存在を報知し、サービスエリア１４０を提供している状態である。制御チャネルでは、レピータ装置１６０が移動局１５０に向けて頻繁に、又は連続して電波を送信しているため、レピータ装置１６０の内部温度が上昇しやすい。「通信チャネル」は、レピータ装置１６０がサービスエリア１４０内の移動局１５０の通話（データ通信も含む）を中継している状態である。通信チャネルは「中継チャネル」と読み替えても良い。「アイドル」は、レピータ装置１６０が何も処理を行っていない状態である。レピータ装置１６０をアイドル状態にすることで、レピータ装置１６０に負荷をかけることなく待機させることができる。「使用禁止」は、レピータ装置１６０の状態を「制御チャネル」、「通信チャネル」、「アイドル」への移行を禁止し、レピータ装置１６０の機能を停止している状態である。例えば、サイトコントローラ１７０は、レピータ装置１６０をこれ以上動作させることが危険であると判断した時に、緊急措置としてレピータ装置１６０を「使用禁止」状態にして、選択対象から除外させる。レピータ装置１６０を使用禁止にすることで、上昇した温度を低下させることが可能になる。なお、図示しないが、各レピータ装置１６０又は基地局１３０の内部に、常用のものとは別に冷却機構（普段停止している冷却機構等）が設置されている場合、サイトコントローラ１７０は、いずれかのレピータ装置１６０を「使用禁止」状態にした際に、そのレピータ装置１６０に設置されている冷却機構、又は基地局１３０自体に設置されている冷却機構を起動し、「使用禁止」状態となったレピータ装置１６０を冷却するようにしても良い。
【００２９】
［レピータ装置］
図３を用いて、レピータ装置の構成について説明する。図３は、レピータ装置の構成の一例を示すブロック図である。
【００３０】
図３に示すように、レピータ装置１６０は、ネットワークインターフェース１６１と、処理部１６２と、記憶部１６３と、送信部１６４と、受信部１６５と、温度測定部１６６とを備える。図３に示すレピータ装置１６０の構成は、第１レピータ装置１６０−１から第３レピータ装置１６０−３の全てにおいて共通であるものとする。図示しないが、各構成は、例えば第１レピータ装置１６０−１については、ネッワークインターフェース１６１−１、処理部１６２−１、記憶部１６３−１、送信部１６４−１、受信部１６５−１、温度測定部１６６−１のように表記される。第２レピータ装置１６０−２、第３レピータ装置１６０−３についても同様である。
【００３１】
ネットワークインターフェース１６１は、ＩＰネットワーク等のネットワークを介して、外部の機器との間で情報通信を行う。例えば、ネットワークインターフェース１６１は、基地局１３０内の他のレピータ装置１６０やサイトコントローラ１７０との間で情報通信を行う。また、ネットワークインターフェース１６１は、ルータ１２０を介して、基地局１３０の外部の機器（システムコントローラ１１０、他の基地局１３０等）との間で情報通信を行う。ネットワークインターフェース１６１は、例えばＮＩＣ（Network  Interface  Card）のようなネットワークアダプタ等で構成されている。
【００３２】
処理部１６２は、レピータ装置１６０の各部を制御する。処理部１６２は、外部からの要求に基づいた処理を実行する。処理部１６２は、必要に応じて外部へ要求や処理の結果等を出力する。処理部１６２は、例えばＣＰＵ（Central  Processing  Unit）、ＲＡＭ（Random  Access  Memory）、ＲＯＭ（Read  Only  Memory）等で構成されている。この場合、ＲＯＭには、ＣＰＵが各部を制御するためのプログラムが格納されている。ＣＰＵは、ＲＯＭに格納されたプログラムを読み出し、ＲＡＭにデータ領域を確保して実行することで、レピータ装置１６０の各部を制御する。
【００３３】
記憶部１６３は、処理部１６２に提供するデータや、処理部１６２の処理結果として得られたデータを格納する。また、記憶部１６３は、処理部１６２がネットワークインターフェース１６１や、送信部１６４及び受信部１６５を介して、外部に出力するデータや、外部から入力したデータも格納する。記憶部１６３は、例えばＳＳＤ（Solid  State  Drive）やＨＤＤ（Hard  Disk  Drive）、ＳＤメモリカード（Secure  Digital  Memory  Card）、フラッシュメモリ等で構成されている。上述のＲＡＭ、ＲＯＭ等も含めても良い。
【００３４】
送信部１６４は、処理部１６２の制御に従って、アンテナ１８０を介して、外部の移動局１５０に電波を送信する。このとき、処理部１６２は、送信部１６４を制御して、電波の送信出力（送信電力）の制御も行う。受信部１６５は、アンテナ１８０を介して、外部の移動局１５０から送信された電波の受信を行い、処理部１６２に通知する。
【００３５】
温度測定部１６６は、レピータ装置１６０の内部の温度を測定し、処理部１６２に通知する。すなわち、処理部１６２は、温度測定部１６６を介して、レピータ装置１６０の内部の温度を監視する。温度測定部１６６は、例えばレピータ装置１６０の内部に設置された温度測定器、温度計速センサ、温度計、その他温度測定が可能な機器又は装置等で構成されている。また、温度測定部１６６は、送信部１６４から送信される電波を監視し、単位時間当たりの電波の送信回数の増大（負荷増大）等からレピータ装置１６０の内部の温度変化を推定又は評価するようにしても良い。
【００３６】
［サイトコントローラ］
図４を用いて、サイトコントローラの構成について説明する。図４は、サイトコントローラの構成の一例を示すブロック図である。
【００３７】
図４に示すように、サイトコントローラ１７０は、ネットワークインターフェース１７１と、処理部１７２と、記憶部１７３とを備える。図３にサイトコントローラ１７０の構成は、第１基地局１３０Ａから第３基地局１３０Ｃのそれぞれに含まれる全てのサイトコントローラ１７０において共通であるものとする。図示しないが、各構成は、例えば第１基地局１３０Ａについては、サイトコントローラ１７０Ａ、ネッワークインターフェース１７１Ａ、処理部１７２Ａ、記憶部１７３Ａのように表記される。第２基地局１３０Ｂ、第３基地局１３０Ｃについても同様である。
【００３８】
ネットワークインターフェース１７１は、ＩＰネットワーク等のネットワークを介して、外部の機器との間で情報通信を行う。例えば、ネットワークインターフェース１７１は、基地局１３０内のレピータ装置１６０との間で情報通信を行う。また、ネットワークインターフェース１７１は、ルータ１２０を介して、基地局１３０の外部の機器（システムコントローラ１１０、他の基地局１３０等）との間で情報通信を行っても良い。
【００３９】
処理部１７２は、ネットワークインターフェース１７１を介して、各レピータ装置１６０を監視し、制御する。処理部１７２は、必要に応じて外部へ要求や処理の結果等を出力する。処理部１７２は、例えばＣＰＵ、ＲＡＭ、ＲＯＭ等で構成されている。この場合、ＲＯＭには、ＣＰＵが各部を制御するためのプログラムが格納されている。ＣＰＵは、ＲＯＭに格納されたプログラムを読み出し、ＲＡＭにデータ領域を確保して実行することで、各レピータ装置１６０を監視し、制御する。
【００４０】
記憶部１７３は、処理部１７２に提供するデータや、処理部１７２の処理結果として得られたデータを格納する。また、記憶部１７３は、処理部１７２がネットワークインターフェース１７１を介して、外部に出力するデータや、外部から入力したデータも格納する。記憶部１７３は、例えばＳＳＤやＨＤＤ、ＳＤメモリカード、フラッシュメモリ等で構成されている。上述のＲＡＭ、ＲＯＭ等も含めても良い。
【００４１】
［温度変化に伴う状態の変遷］
図５〜図８を用いて、レピータ装置の内部の温度の変化とレピータ装置の状態の変更との関係について説明する。図５は、通常状態を示す説明図である。図６は、制御チャネルのレピータ装置の温度が異常である状態を示す説明図である。図７は、制御チャネルを他のレピータ装置に切り替えた状態を示す説明図である。図８は、異常温度に近かったレピータ装置の復帰を示す説明図である。
【００４２】
ここでは、第１レピータ装置１６０−１と、第２レピータ装置１６０−２と、第３レピータ装置１６０−３の３つのレピータ装置を例に挙げて説明する。３つのレピータ装置にはそれぞれ、識別情報として「１」、「２」、「３」のレピータＩＤが割り当てられている。便宜上、第１レピータ装置１６０−１のレピータＩＤを「１」、第２レピータ装置１６０−２のレピータＩＤを「２」、第３レピータ装置１６０−３のレピータＩＤを「３」とする。但し、「１」、「２」、「３」は例示であり、本発明を限定するものではない。
【００４３】
図５に示す例では、まだ通常状態であり、レピータＩＤ「１」の第１レピータ装置１６０−１は、「制御チャネル」状態で、この時点での内部温度は「５０℃」、現在の状態になってからの状態変化後の経過時間は「１２０分」である。また、レピータＩＤ「２」の第２レピータ装置１６０−２は、「通信チャネル」状態で、この時点での内部温度は「４０℃」、現在の状態になってからの状態変化後の経過時間は「５分」である。例えば、第２レピータ装置１６０−２は、移動局１５０が通話を開始した際には、移動局１５０の通話を中継するため「アイドル」状態から「通信チャネル」状態に移行し、中継している移動局１５０が通話を終了した際には、「通信チャネル」状態から「アイドル」状態に移行する。また、レピータＩＤ「３」の第３レピータ装置１６０−３は、「アイドル」状態で、この時点での内部温度は「３０℃」、現在の状態になってからの状態変化後の経過時間は「６０分」である。具体的には、各レピータ装置１６０の処理部１６２が、温度測定部１６６を介して、そのレピータ装置１６０の内部の温度を監視し、ネットワークインターフェース１６１を介して、サイトコントローラ１７０の処理部１７２に、レピータ装置１６０の内部の温度を通知する。なお、サイトコントローラ１７０の処理部１７２は、図５に示したような「レピータＩＤ」、「状態」、「温度（℃）」、及び「状態変化後の経過時間」を互いに関連付けて記憶部１７３に格納し、管理しても良い。
【００４４】
図６に示す例では、図５に示した通常状態から５分が経過した際に、サイトコントローラ１７０が、「制御チャネル」状態の第１レピータ装置１６０−１の内部温度が「８０℃」となり、異常温度に近づいたことを検出している。この時点での状態変化後の経過時間は「１２５分」である。なお、第２レピータ装置１６０−２と、第３レピータ装置１６０−３については、状態変化後の経過時間に５分加算された以外に変化はない。
【００４５】
図７に示す例では、サイトコントローラ１７０が、「アイドル」状態の第３レピータ装置１６０−３の状態を「アイドル」状態から「制御チャネル」状態に変更し、異常温度に近づいた第１レピータ装置１６０−１の状態を「制御チャネル」から「使用禁止」に変更する。このとき、第１レピータ装置１６０−１と、第３レピータ装置１６０−３のそれぞれの状態変化後の経過時間はリセットされ、いずれも「０分」となる。具体的には、サイトコントローラ１７０の処理部１７２が、「制御チャネル」状態の第１レピータ装置１６０−１の内部温度が「８０℃」以上となった時点で、異常温度に近づいたと判断し、第３レピータ装置１６０−３の状態を「アイドル」状態から「制御チャネル」状態に変更するように、ネットワークインターフェース１７１を介して、第３レピータ装置１６０−３の処理部１６２−３に要求を送信する。同時に（あるいはその後遅滞なく）、第１レピータ装置１６０−１の状態を「制御チャネル」から「使用禁止」に変更するように、ネットワークインターフェース１７１を介して、第１レピータ装置１６０−１の処理部１６２−１に要求を送信する。また、第３レピータ装置１６０−３の状態が「制御チャネル」状態になり、第１レピータ装置１６０−１の状態が「制御チャネル」状態ではなくなるという情報は、システム内の全てのサイトコントローラ１７０に通知される。更に、この情報は、近隣の基地局１３０の「制御チャネル」状態のレピータ装置１６０から移動局１５０に向けて報知される。「使用禁止」状態になる第１レピータ装置１６０−１もこの情報を移動局１５０に報知した後に「制御チャネル」状態から「使用禁止」状態に移行する。なお、先に「制御チャネル」状態を他のレピータ装置１６０に移行し、「制御チャネル」状態となった他のレピータ装置１６０の情報を移動局１５０に報知してから「使用禁止」とする理由は、基地局１３０として「制御チャネル」状態のレピータ装置１６０を常に確保し、「制御チャネル」状態としての動作を途切れさせないようにするためであり、移動局１５０が「制御チャネル」状態の信号を探すことなく、次の「制御チャネル」状態のレピータ装置１６０に移れるように誘導するためである。
【００４６】
図８に示す例では、図７に示した状態の変更から５分が経過した際に、サイトコントローラ１７０が、異常温度に近づいた第１レピータ装置１６０−１の内部温度が「６０℃」まで低下したことを確認し、第１レピータ装置１６０−１の状態を「使用禁止」状態から「アイドル」状態に変更している。具体的には、サイトコントローラ１７０の処理部１７２が、「使用禁止」状態の第１レピータ装置１６０−１の内部温度が「６０℃」以下となった時点で、温度低下により復帰可能と判断し、第１レピータ装置１６０−１の状態を「使用禁止」状態から「アイドル」状態に変更するように、ネットワークインターフェース１７１を介して、第１レピータ装置１６０−１の処理部１６２−１に要求を送信する。
【００４７】
［温度管理プロセス］
図９を用いて、サイトコントローラによるレピータ装置の温度管理プロセスにおける処理の流れについて説明する。なお、この温度管理プロセスは、サイトコントローラの機能が停止するまで、又は当該プロセスを終了するまで、継続して周期的に実施されるものとする。
【００４８】
図９に示すように、各基地局１３０において、サイトコントローラ１７０は、まず、自身の管理下にある各レピータ装置１６０について、「制御チャネル」状態かどうか判定し、「制御チャネル」状態のレピータ装置１６０を特定する（ステップＳ１０１）。図５に示す例では、レピータＩＤ「１」の第１レピータ装置１６０−１が「制御チャネル」状態である。
【００４９】
次いで、サイトコントローラ１７０は、「制御チャネル」状態のレピータ装置１６０を特定した場合（ステップＳ１０１でＹｅｓ）、その「制御チャネル」状態のレピータ装置１６０の内部温度が８０℃以上か確認する（ステップＳ１０２）。「制御チャネル」状態のレピータ装置１６０の内部温度が８０℃以下である場合（ステップＳ１０２でＮｏ）、何もせず、一旦、当該温度管理プロセスにおける一連の処理を終了し、続けて新たに一連の処理を開始して、最初の処理に戻る（ステップＳ１０１に戻る）。すなわち、定期的にレピータ装置の状態と内部温度を確認し、「制御チャネル」状態のレピータ装置１６０の状態が切り換えられるか、内部温度が８０℃以上になるまで、現在の状態を継続する。なお、ここでは、温度上昇により異常温度に近づいたことを検出するための判定基準（閾値）となる温度を「８０℃」としているが、「８０℃」は例示であり、本発明を限定するものではない。判定基準（閾値）となる温度は任意に設定可能である。すなわち、「８０℃」は「第１温度閾値」（又は「危険温度閾値」）と読み替えても良い。但し、異常温度を超えないことを目的とする都合上、「第１温度閾値」は異常温度と推定される「８５℃」よりも低い温度（小さい値）であるものとする。
【００５０】
次いで、サイトコントローラ１７０は、「制御チャネル」状態のレピータ装置１６０の内部温度が８０℃以上である場合（ステップＳ１０２でＹｅｓ）、「制御チャネル」状態の第１レピータ装置１６０−１の内部温度が異常温度に近づいたと判断し、現在「アイドル」状態のレピータ装置１６０を制御チャネル状態に移行する（ステップＳ１０３）。なお、「アイドル」状態のレピータ装置１６０が複数存在する場合には、最も内部温度が低い「アイドル」状態のレピータ装置１６０を「制御チャネル」状態に移行するものとする。図６に示す例では、現在「制御チャネル」状態の第１レピータ装置１６０−１の内部温度が「８０℃」となっているため、異常温度に近づいたと判断する。また、レピータＩＤ「３」の第３レピータ装置１６０−３が「アイドル」状態であるため、第３レピータ装置１６０−３を「アイドル」状態から「制御チャネル」状態に移行する。このとき、第３レピータ装置１６０−３「状態変化後の経過時間（分）」についても初期化し、カウント値を「０」に再設定している。
【００５１】
同時に（あるいはその後遅滞なく）、サイトコントローラ１７０は、異常温度に近づいたと判断したレピータ装置１６０を「使用禁止」状態にする（ステップＳ１０４）。図７に示す例では、異常温度に近づいたと判断した第１レピータ装置１６０−１を「制御チャネル」状態から「使用禁止」状態に移行している。このとき、第１レピータ装置１６０−１の「状態変化後の経過時間（分）」についても初期化し、カウント値を「０」に再設定している。ここで、一旦、当該温度管理プロセスにおける一連の処理を終了し、続けて新たに一連の処理を開始して、最初の処理に戻る（ステップＳ１０１に戻る）。
【００５２】
また、サイトコントローラ１７０は、自身の管理下にある各レピータ装置１６０のうち、「制御チャネル」状態でないものについて（ステップＳ１０１でＮｏ）、「使用禁止」状態かどうか判定する（ステップＳ１０５）。レピータ装置１６０の「制御チャネル」状態でも「使用禁止」状態でもない場合（ステップＳ１０５でＮｏ）、何もせず、一旦、当該温度管理プロセスにおける一連の処理を終了し、続けて新たに一連の処理を開始して、最初の処理に戻る（ステップＳ１０１に戻る）。
【００５３】
次いで、サイトコントローラ１７０は、「使用禁止」状態のレピータ装置１６０を特定した場合（ステップＳ１０５でＹｅｓ）、その「使用禁止」状態のレピータ装置１６０の内部温度が「６０℃」以下であり、且つ、「使用禁止」状態となってから「５分」経過しているかどうか確認する（ステップＳ１０６）。「使用禁止」状態のレピータ装置１６０の内部温度が「６０℃」より高い（大きい）、及び／又は、「使用禁止」状態となってから「５分」経過していない場合（ステップＳ１０６でＮｏ）、何もせず、現在の状態を継続する（ステップＳ１０１に戻る）。なお、ここでは、温度低下により復帰可能なったことを検出するための判定基準（閾値）となる温度を「６０℃」としているが、「６０℃」は例示であり、本発明を限定するものではない。判定基準（閾値）となる温度は任意に設定可能である。すなわち、「６０℃」は「第２温度閾値」（又は「復帰温度閾値」）と読み替えても良い。但し、温度低下を判断する都合上、「第２温度閾値」は「第１温度閾値」よりも低い温度（小さい値）であるものとする。また、「状態変化後の経過時間（分）」の判定基準（閾値）となる経過時間を「５分」としているが、「５分」は例示であり、本発明を限定するものではない。判定基準（閾値）となる経過時間は任意に設定可能である。すなわち、「５分」は「経過時間閾値」と読み替えても良い。
【００５４】
次いで、サイトコントローラ１７０は、「使用禁止」状態のレピータ装置１６０の内部温度が「６０℃」以下であり、且つ、「使用禁止」状態となってから「５分」経過している場合（ステップＳ１０６でＹｅｓ）、温度低下により復帰可能であると判断して、「使用禁止」状態のレピータ装置１６０を「アイドル」状態に移行して復帰させる（ステップＳ１０７）。ここで、一旦、当該温度管理プロセスにおける一連の処理を終了し、続けて新たに一連の処理を開始して、最初の処理に戻る（ステップＳ１０１に戻る）。図８に示す例では、「使用禁止」状態の第１レピータ装置１６０−１の内部温度が「６０℃」となっているため、温度低下により復帰可能と判断する。また、第１レピータ装置１６０−１が「使用禁止」状態となってからの「状態変化後の経過時間（分）」に「５分」とカウントされているため、「使用禁止」状態となってから「５分」経過していると判断する。したがって、サイトコントローラ１７０は、上記条件を満たしているため、温度低下により復帰可能であると判断して、「使用禁止」状態の第１レピータ装置１６０−１を「アイドル」状態に移行して復帰させる。
【００５５】
このように、温度上昇により使用禁止になったレピータ装置の復帰要件として、「温度の低下」だけではなく、「規定時間以上使用禁止状態が継続していること」も条件とすることが好ましい。このように、温度が低下しても一定時間が経過するまでは「使用禁止」状態を継続し、特定のレピータ装置だけが頻繁に温度上昇を起こさないようにして、レピータ装置の寿命の均一化を図る。
【００５６】
また、実際には、サイトコントローラ１７０は、各レピータ装置１６０について、「過去に制御チャネルを担当したときの最高温度」の記録を蓄積していき、「過去に制御チャネルを担当した回数」と「そのときの最高温度」がわかるように記憶することで、「異常温度」に近づいた回数が多いレピータ装置を避けたり、「制御チャネル」ではなく「通信チャネル」に割り当てたりする等により、特定のレピータ装置だけが頻繁に温度上昇を起こさないようにして、レピータ装置の寿命の均一化を図ることもできる。
【００５７】
［時間管理プロセス］
図１０を用いて、サイトコントローラによるレピータ装置の時間管理プロセスにおける処理の流れについて説明する。なお、この時間管理プロセスは、サイトコントローラの機能が停止するまで、又は当該プロセスを終了するまで、継続して周期的に実施されるものとする。
【００５８】
図１０に示すように、各基地局１３０において、サイトコントローラ１７０は、まず、タイマ割込みが発生したことを検出する（ステップＳ２０１）。なお、タイマ割込みを行うための時間間隔を示すタイマ時間（割込み時間）の初期値は、任意に設定可能であるものとする。
【００５９】
次いで、サイトコントローラ１７０は、タイマ割込みに応じて、自身の管理下にある各レピータ装置１６０について、「アイドル」状態のレピータ装置１６０が存在するかどうか確認する（ステップＳ２０２）。
【００６０】
次いで、サイトコントローラ１７０は、「アイドル」状態のレピータ装置１６０が存在する場合（ステップＳ２０２でＹｅｓ）、その「アイドル」状態のレピータ装置１６０を「制御チャネル」状態に移行する（ステップＳ２０３）。例えば、図５〜図８に示す例では、「アイドル」状態の第３レピータ装置１６０−３を「制御チャネル」状態に移行する。なお、「アイドル」状態のレピータ装置１６０が複数存在する場合には、最も内部温度が低い「アイドル」状態のレピータ装置１６０を「制御チャネル」状態に移行するものとする。
【００６１】
同時に（あるいはその後遅滞なく）、サイトコントローラ１７０は、タイマ割込み時点で「制御チャネル」状態のレピータ装置１６０を「アイドル」状態に移行する（ステップＳ２０４）。例えば、図５〜図８に示す例では、「制御チャネル」状態の第１レピータ装置１６０−１を「アイドル」状態に移行する。
【００６２】
次いで、サイトコントローラ１７０は、タイマ割込みのための時間間隔として第１タイマ時間を設定する（ステップＳ２０５）。第１タイマ時間は任意に設定可能であるものとする。なお、この場合、上記の通り、既に制御チャネルの切り替えを行っているため、制御チャネルの切り替えを急ぐ必要が無く、第１タイマ時間は通常の時間間隔であれば良い。その後、一旦、当該時間管理プロセスにおける一連の処理を終了し、続けて新たに一連の処理を開始して、最初の処理に戻る（ステップＳ２０１に戻る）。
【００６３】
また、サイトコントローラ１７０は、「アイドル」状態のレピータ装置１６０が存在しない場合（ステップＳ２０２でＮｏ）、タイマ割込みのための時間間隔として第２タイマ時間を設定する（ステップＳ２０６）。第２タイマ時間は任意に設定可能であるものとする。但し、この場合、「アイドル」状態のレピータ装置１６０が存在せず、制御チャネルの切り替えを行っていないため、制御チャネルの切り替えを急ぐ必要がある。そのため、第２タイマ時間は第１タイマ時間よりも短い時間（小さい値）であると好ましい。その後、一旦、当該時間管理プロセスにおける一連の処理を終了し、続けて新たに一連の処理を開始して、最初の処理に戻る（ステップＳ２０１に戻る）。
【００６４】
以上のように、本実施形態では、レピータ装置１６０は、「異常温度に近づいたこと」と、「正常温度に戻ったこと」をサイトコントローラ１７０に通知する。サイトコントローラ１７０は、異常温度に近づいたレピータ装置１６０が「制御チャネル」状態であれば「使用禁止」状態に移行して電波の送信を禁止し、「制御チャネル」を他のレピータ装置１６０に切り替える。
【００６５】
また、サイトコントローラ１７０は、「使用禁止」状態のレピータ装置１６０から正常温度に戻った旨の通知を受けたら、そのレピータ装置１６０を「使用禁止」状態から「アイドル」状態に移行させる。なお、実際には、「アイドル」状態ではなく、「通信チャネル」状態に移行させても良い。十分な時間が経過する等、更に復帰条件を満たせば、再度、「制御チャネル」状態に移行させても良い。温度による制御チャネルの切り替えのための閾値（温度）は、利用者が任意に設定可能である。制御チャネルへの復帰条件は、「温度」と「制御チャネルの切り替え時からの一定時間の経過」である。温度による制御チャネルの切り替え時は、最も低い温度のレピータ装置１６０に切り替えるようにすると好ましい。図５及び図６に示す例では、「アイドル」状態の第３レピータ装置１６０−３の内部温度が「３５℃」であり、他のレピータ装置１６０と比べて最も低いため、最も低い温度のレピータ装置１６０は「アイドル」状態の第３レピータ装置１６０−３である。
【００６６】
無線通信システム下の移動局（無線通信端末）がハント状態にならないように、温度による制御チャネルの切り替え時も、時間による制御チャネルの切り替え時と同様に、次の制御チャネルが起動した後に、現在の制御チャネルのレピータ装置で次の制御チャネルのレピータ装置の情報を現在サービスエリア１４０内に存在する移動局１５０に報知した後に、現在の制御チャネルのレピータ装置の電波の送信を停止する。制御チャネルの自動切り替えの要因（条件）については、現行の「時間」に加え、「温度」又は「時間と温度」から利用者が任意に選択可能である。
【００６７】
なお、時間管理プロセスは温度管理プロセスと同時に実施される場合には並行して実施される。時間管理プロセスを実施せず、温度管理プロセスのみ実施するようにすることも可能である。反対に、温度管理プロセスを実施せず、時間管理プロセスのみ実施するようにすることも可能である。「温度管理プロセスのみ」、「時間管理プロセスのみ」、「温度管理プロセスと時間管理プロセスとの両方」のいずれを実施するかは本システム上で選択可能であるものとする。
【符号の説明】
【００６８】
１  無線通信システム
１１０  システムコントローラ
１２０  ルータ
１３０  基地局
１４０  サービスエリア
１５０  移動局
１６０  レピータ装置
１６１  ネットワークインターフェース
１６２  処理部
１６３  記憶部
１６４  送信部
１６５  受信部
１６６  温度測定部
１７０  サイトコントローラ
１７１  ネットワークインターフェース
１７２  処理部
１７３  記憶部
【図１】
2020155987.tif 000003
【図２】
2020155987.tif 000004
【図３】
2020155987.tif 000005
【図４】
2020155987.tif 000006
【図５】
2020155987.tif 000007
【図６】
2020155987.tif 000008
【図７】
2020155987.tif 000009
【図８】
2020155987.tif 000010
【図９】
2020155987.tif 000011
【図１０】
2020155987.tif 000012